(57)【要約】【課題】脱落しにくく、かつ地震時のパネルの浮き上がりを阻止できる二重床用締結具の提供。【解決手段】締結具３２は、ボルト３４、フランジ３６、上筒３８、下筒４０、コイルスプリング４２、ガイド４４及びロックナット４６を備えている。ボルト３４は、ヘッド４８、軸５０及びストッパー５２からなる。上筒３８の上面は、フランジ３６の底と当接している。下筒４０は上筒３８と遊嵌されている。コイルスプリング４２は、ボルト３４と下筒４０との間に収容されている。ロックナット４６は、切り欠き部７０（係合部）を備えている。ボルト３４は、フランジ３６、上筒３８、下筒４０、コイルスプリング４２、ガイド４４及びロックナット４６を貫通している。ボルト３４は、ロックナット４６の穴６８に螺入されている。【選択図】図１
2008106504.tif 000002
【特許請求の範囲】
【請求項１】
支持脚の天板に形成された開口と、この天板の上に載置されたパネルに形成された孔とを貫通し、天板にパネルを固定する二重床用の締結具であって、
パネルの上面に当接するフランジ、
このフランジの下方に位置する上筒、
この上筒に遊嵌されて天板の上方に位置する下筒、
この下筒に対して上筒を上方に付勢するスプリング、
上筒及び下筒を貫通するボルト
及び
下筒の下方に位置し、このボルトが螺入されたロックナット
を備えており、
天板と係合することで、ボルトが回転したときのボルトとロックナットとの共回りを阻止する係合部を、このロックナットが備えており、
この係合部が天板と係合していない状態でボルトが逆回転したときに、ロックナットの下方への移動を阻止することでボルトとロックナットとを共回りさせるストッパーを、ボルトが備えており、
係合部が天板と係合した状態でボルトが正回転したときに、フランジと天板との距離が収縮し、
係合部が天板と係合した状態でボルトが逆回転したときに、フランジと天板との距離が伸張するように構成された締結具。
【発明の詳細な説明】
【技術分野】
【０００１】
本発明は、二重床用の締結具に関する。詳細には、本発明は、支持脚とパネルとを固定するための締結具に関する。
【背景技術】
【０００２】
オフィス、精密機器製造工場、大型コンピュータ用クリーンルーム等では、二重床が採用されている。二重床の一例が、特開２００２−２５６６８３公報に開示されている。この二重床は、所定間隔を隔ててスラブ上に立設された多数の支持脚と、この支持脚の天板に載置された多数のパネルとを備えている。スラブとパネルとの間のスペースには、各種のケーブルが収容される。このスペースが、空調の経路として使用されることもある。
【０００３】
パネルは、天板と固定される。固定には、締結具が用いられる。図９（ａ）は従来の締結具２が示された部分断面図であり、図９（ｂ）はその側面図である。この締結具２は、ピン４、筒６及びコイルスプリング８を備えている。ピン４は、その上端にヘッド１０を備えており、下端の近傍に突起１２を備えている。ピン４は、筒６を貫通している。筒６は、フランジ１４と、内径の大きな上部１６と、内径の小さな下部１８とからなる。コイルスプリング８は、上部１６に収容されている。このコイルスプリング８は、圧縮スプリングである。このコイルスプリング８では、その上端はヘッド１０に当接しており、その下端は下部１８に当接している。ピン４は、コイルスプリング８も貫通している。
【０００４】
図１０は、図９の締結具２が適用される支持脚の天板２０が示された平面図である。この天板２０には、４つのパネルのコーナーが載置される。この天板２０は、４つの開口２２を備えている。それぞれの開口２２は、２つの窪み２４を備えている。
【０００５】
図１１は、図９の締結具２が用いられた二重床２６の一部が示された部分断面図である。この図１１は、図１０において符号Ａ１で示された矢印の方向から見た断面図である。この二重床２６の施工では、図１１（ａ）に示されるように、天板２０にパネル２８のコーナーが載置され、パネル２８の孔３０と天板２０の開口２２とに締結具２が通される。締結具２の突起１２は、開口２２の窪み２４（図１０参照）を通過する。ヘッド１０がドライバーで下方に押圧されることで、コイルスプリング８が収縮し、ピン４が下方へと移動する。ヘッド１０が押された状態で、ドライバーが回され、ピン４が回転する。回転の角度は、約９０°である。回転により、図１１（ｂ）に示されるように、突起１２が左右方向に位置する。ドライバーがはずされると、コイルスプリング８が復元する。復元により、突起１２が天板２０の下面に当接するまで、ピン４が上方へと移動する。図１１（ｃ）には、突起１２が天板２０の下面に当接した状態が示されている。コイルスプリング８は、完全には復元していない。コイルスプリング８は、ピン４を上方に付勢している。この付勢力は、フランジ１４と突起１２との距離を狭める方向に働く。この付勢力により、パネル２８が天板２０に固定される。
【特許文献１】特開２００２−２５６６８３公報
【発明の開示】
【発明が解決しようとする課題】
【０００６】
この締結具２では、施工時にピン４がほぼ９０°回される必要がある。ピン４の回転角度は、作業者の勘に頼って決定される。回転の角度が不十分であったり、角度が多すぎると、突起１２が窪み２４の近くに位置する。この場合、長期間の使用で二重床２６に繰り返し振動が加わると、ピン４が徐々に回転し、突起１２の位置が窪み２４の位置と一致して、締結具２が脱落するおそれがある。
【０００７】
この締結具２では、地震によってパネル２８に大きな上向きの力が加わると、コイルスプリング８が圧縮し、パネル２８が天板２０から浮き上がるおそれがある。
【０００８】
本発明の目的は、脱落しにくく、かつ地震時のパネルの浮き上がりを阻止できる締結具の提供にある。
【課題を解決するための手段】
【０００９】
本発明に係る締結具は、支持脚の天板に形成された開口と、この天板の上に載置されたパネルに形成された孔とを貫通することで、天板にパネルを固定する。この締結具は、
（１）パネルの上面に当接するフランジ、
（２）このフランジの下方に位置する上筒、
（３）この上筒に遊嵌されて天板の上方に位置する下筒、
（４）この下筒に対して上筒を上方に付勢するスプリング、
（５）上筒及び下筒を貫通するボルト
及び
（６）下筒の下方に位置しており、このボルトが螺入されたロックナット
を備える。このロックナットは、係合部を備える。この係合部は、天板と係合することで、ボルトが回転したときのボルトとロックナットとの共回りを阻止する。ボルトは、ストッパーを備える。このストッパーは、係合部が天板と係合していない状態でボルトが逆回転したときに、ロックナットの下方への移動を阻止することでボルトとロックナットとを共回りさせる。この締結具では、係合部が天板と係合した状態でボルトが正回転したときにフランジと天板との距離が収縮し、係合部が天板と係合した状態でボルトが逆回転したときに、フランジと天板との距離が伸張する。
【発明の効果】
【００１０】
この締結具では、係合部が天板と係合するので、長期間の使用によっても締結具の緩みが生じない。この締結具は、脱落しにくい。この締結具では、ボルトによってパネルが天板に押圧されるので、地震時のパネルの浮き上がりが生じにくい。
【発明を実施するための最良の形態】
【００１１】
以下、適宜図面が参照されつつ、好ましい実施形態に基づいて本発明が詳細に説明される。
【００１２】
図１（ａ）は本発明の一実施形態に係る締結具３２が示された平面図であり、図１（ｂ）はその正面図であり、図２はその側面図である。図１（ｂ）では、一部の断面が示されている。この締結具３２は、ボルト３４、フランジ３６、上筒３８、下筒４０、コイルスプリング４２、ガイド４４及びロックナット４６を備えている。これら部材は、金属材料からなる。
【００１３】
ボルト３４は、ヘッド４８、軸５０及びストッパー５２からなる。ヘッド４８はテーパー状であり、上面に溝５４が刻まれている。この溝５４には、ドライバーのティップが嵌められる。軸５０の下部には、雄ネジ山が螺刻されている。ストッパー５２は、軸５０の下端近傍に位置している。ストッパー５２は、軸５０よりも幅広である。ストッパー５２は、軸５０の一部が潰されることで形成されている。肉盛りによってストッパー５２が形成されてもよい。
【００１４】
フランジ３６の平面形状は、円である。フランジ３６は、テーパー状の穴５８を備えている。この穴５８に、ボルト３４が貫通している。穴５８の内周面は、ヘッド４８の外周面と当接している。
【００１５】
上筒３８の軸方向は、上下方向である。上筒３８は、フランジ３６の下方に位置している。上筒３８の上面は、フランジ３６の底と当接している。この上筒３８に、ボルト３４が貫通している。上筒３８の内径は、ボルト３４の外径よりも大きい。フランジ３６が、上筒３８と一体とされてもよい。フランジ３６が、ボルト３４と一体とされてもよい。
【００１６】
下筒４０の軸方向は、上下方向である。下筒４０の内径は、上筒３８の外径よりも大きい。下筒４０には、上筒３８の下端近傍が挿入されている。この下筒４０に対し、上筒３８は上下にスライドしうる。換言すれば、下筒４０は上筒３８と遊嵌されている。下筒４０は、環状底６０を備えている。ボルト３４は、下筒４０を貫通している。
【００１７】
コイルスプリング４２は、ボルト３４と下筒４０との間に収容されている。コイルスプリング４２の上端は、上筒３８の下端と当接している。コイルスプリング４２の下端は、環状底６０と当接している。コイルスプリング４２は、いわゆる圧縮スプリングである。圧縮時には、コイルスプリング４２は、下筒４０に対して上筒３８を上方に付勢する。
【００１８】
ガイド４４は、ディスク６２と一対の脚６４とを備えている。ディスク６２は、下筒４０の下端と当接している。ディスク６２は、穴６６を備えている。この穴６６の内周面には、雌ネジ山が螺刻されている。この穴６６に、ボルト３４が螺入されている。脚６４は、ディスク６２から垂下している。
【００１９】
ロックナット４６は、ガイド４４の下方に位置している。ロックナット４６は、穴６８を備えている。この穴６８の内周面には、雌ネジ山が螺刻されている。この穴６８に、ボルト３４が螺入されている。ロックナット４６は、切り欠き部７０（係合部）を備えている。この切り欠き部７０により、ロックナット４６の上面に段差が形成されている。この切り欠き部７０に、脚６４が嵌っている。
【００２０】
図３は、図１の締結具３２が適用される天板７２が示された平面図である。この天板７２には、４枚のパネル７４のコーナーが載置される。この天板７２は、４つの開口７６を備えている。開口７６の位置は、パネル７４の孔７８（後に詳説）の位置と一致している。開口７６は、対向配置された２つの張出部８０を備えている。
【００２１】
図４は、図１の締結具３２が用いられた二重床８２の一部が示された正面図である。この二重床８２は、支持脚８４、パネル７４及び締結具３２からなる。支持脚８４は、スラブ８６に立設されている。スラブ８６の上には、所定間隔を隔てて多数の支持脚８４が立設される。パネル７４は、隣接する支持脚８４同士の間に架けられる。パネル７４のコーナーは、天板７２に載置される。このパネル７４は、コーナーに、上下に貫通する孔７８を備えている。前述の通り、平面視において、孔７８の位置は開口７６の位置と一致している。この孔７８及び開口７６を、締結具３２が貫通している。この締結具３２により、パネル７４が天板７２に固定されている。
【００２２】
以下、図５から８が参照されつつ、パネル７４の天板７２への固定方法が説明される。図５（ａ）及び（ｂ）、図６（ｃ）及び（ｄ）、図７（ｅ）及び（ｆ）並びに図８（ｇ）及び（ｈ）は、図３において符号Ａ２で示された矢印の方向から見た断面図である。孔７８及び開口７６に締結具３２が通されるときの、ロックナット４６と開口７６との位置関係が図５（ａ’）に示されている。ロックナット４６は、天板７２にじゃまされることなく、開口７６に挿入される。ロックナット４６の大部分は、図５（ａ）に示されるように、開口７６から露出する。ロックナット４６の一部は、開口７６の中にある。開口７６にはさらに、脚６４が挿入されている。脚６４と開口７６との嵌め合いにより、締結具３２の中心位置が開口７６の中心位置と一致している。ディスク６２は、天板７２の上面に当接している。この当接により、締結具３２のさらなる下方への移動が阻止されている。ロックナット４６は、ストッパー５２と当接している。従ってロックナット４６は、ボルト３４に対して下方へ移動できない。本明細書では、図５（ａ）に示された状態が、「原点」と称される。
【００２３】
ドライバーのティップがヘッド４８（図１参照）の溝５４に嵌められ、このドライバーによってヘッド４８が下方に押圧される。この押圧によりコイルスプリング４２が収縮し、ボルト３４、フランジ３６、上筒３８及びロックナット４６が下方へ移動する。移動により、ロックナット４６が天板７２から離れる。ヘッド４８が押圧されたまま、ドライバーが逆回転させられる。原点からの回転角度は、２０°から６０°程度である。ストッパー５２によってロックナット４６の下方への移動が阻止されているので、ボルト３４の逆回転によってロックナット４６も逆回転する。換言すれば、ロックナット４６はボルト３４と共回りする。この共回り後の状態が、図５（ｂ）及び（ｂ’）に示されている。
【００２４】
ヘッド４８の押圧が解除されると、コイルスプリング４２の復元力により、ボルト３４、フランジ３６、上筒３８及びロックナット４６が上方へ移動する。この移動により、図６（ｃ）及び（ｃ’）に示されるように、ロックナット４６の上面が部分的に天板７２の下面と当接する。この当接により、ボルト３４、フランジ３６、上筒３８及びロックナット４６の上方へのさらなる移動が阻止されている。
【００２５】
ドライバーがさらに逆回転することで、ボルト３４が逆回転する。ロックナット４６は、天板７２と擦れつつ、ボルト３４と共回りする。ロックナット４６の、原点からの回転角度がほぼ９０°となった段階で、図６（ｄ’）に示されるように、切り欠き部７０の位置が張出部８０の位置と一致する。コイルスプリング４２はロックナット４６を上向きに付勢しているので、位置の一致により、ボルト３４、フランジ３６、上筒３８及びロックナット４６がさらに上方へ瞬時に移動する。この段階で、図６（ｄ）に示されるように、張出部８０の下面が切り欠き部７０に嵌り込む。換言すれば、ロックナット４６が天板７２と係合する。この瞬時の移動のとき、「カチッ」という音が発生し、作業者の耳に伝わる。同時に、作業者の手には衝撃が伝わる。この音と衝撃とにより、作業者は、張出部８０の切り欠き部７０への嵌り込みを認識する。
【００２６】
嵌り込みを確認した作業者は、ドライバーを正回転させる。正回転により、ボルト３４が正回転する。ロックナット４６は天板７２と係合しているので、ボルト３４の正回転によっても共回りしない。従ってボルト３４は、正回転により、ロックナット４６に対して下方へ移動する。この移動により、フランジ３６及び上筒３８も、下方へ移動する。ボルト３４の正回転により、フランジ３６と天板７２との距離が収縮する。やがてフランジ３６は、図７（ｅ）に示されるように、パネル７４の上面に当接する。この当接により、パネル７４が天板７２に堅固に固定される。こうして、二重床８２が完成する。
【００２７】
図７（ｅ）に示された状態では、ロックナット４６が天板７２と係止している。従って、この二重床８２に振動が加わっても、ボルト３４が緩むことがない。この締結具３２は、長期間使用されても脱落しない。地震等でパネル７４に上向きの力が加わっても、ボルト３４が変形しない限り、パネル７４は天板７２から浮き上がらない。
【００２８】
二重床８２が分解されるときは、図７（ｅ）に示された状態において、ボルト３４が逆回転させられる。ロックナット４６は天板７２と係止しているので、ボルト３４の逆回転によってもロックナット４６は共回りしない。逆回転によりボルト３４は、ロックナット４６に対して上方へ移動する。同時に、フランジ３６及び上筒３８も、上方へ移動する。この移動により、フランジ３６と天板７２との距離は伸張する。ストッパー５２がロックナット４６に当接した段階で、ボルト３４の逆回転が阻止される。締結具３２は、図６（ｄ）及び（ｄ’）に示された状態に戻る。
【００２９】
ヘッド４８は、ドライバーによって下方に押圧される。この押圧によりコイルスプリング４２が収縮し、ボルト３４、フランジ３６、上筒３８及びロックナット４６が下方へ移動する。移動により、ロックナット４６が天板７２から離れる。ヘッド４８が押圧されたまま、ドライバーが逆回転させられる。ストッパー５２によってロックナット４６の下方への移動が阻止されているので、ボルト３４の逆回転によってロックナット４６も逆回転する。換言すれば、ロックナット４６はボルト３４と共回りする。この共回り後の状態が、図７（ｆ）及び（ｆ’）に示されている。ロックナット４６の原点からの回転角度は、１１０°から１６０°程度である。
【００３０】
ヘッド４８の押圧が解除されると、コイルスプリング４２の復元力により、ボルト３４、フランジ３６、上筒３８及びロックナット４６が上方へ移動する。この移動により、図８（ｇ）及び（ｇ’）に示されるように、ロックナット４６の上面の一部が天板７２の下面と当接する。この当接により、ボルト３４、フランジ３６、上筒３８及びロックナット４６の上方へのさらなる移動が阻止されている。
【００３１】
ドライバーがさらに逆回転することで、ボルト３４が逆回転する。ロックナット４６は、天板７２と擦れつつ、ボルト３４と共回りする。ロックナット４６の、原点からの回転角度がほぼ１８０°となった段階で、図８（ｈ’）に示されるように、ロックナット４６の輪郭の全てが開口７６の内側に位置する。コイルスプリング４２はロックナット４６を上向きに付勢しているので、ボルト３４、フランジ３６、上筒３８及びロックナット４６がさらに上方へ瞬時に移動する。この状態が、図８（ｈ）に示されている。瞬時の移動のときに発生する音及び衝撃により、作業者はこの移動を認識する。この状態では、天板７２にじゃまされることなく、締結具３２が開口７６及び孔７８から引き抜かれうる。締結具３２の引き抜きより、パネル７４が支持脚８４からフリーとなる。
【００３２】
この締結具３２の取り付け及び取り外しは容易であり、作業者の熟練を要しない。さらに、取り付け及び取り外しにおいて、専用工具は不要である。
【産業上の利用可能性】
【００３３】
本発明に係る締結具は、種々の二重床に適用されうる。
【図面の簡単な説明】
【００３４】
【図１】図１（ａ）は本発明の一実施形態に係る締結具が示された平面図であり、図１（ｂ）はその正面図である。
【図２】図２は、図１の締結具が示された側面図である。
【図３】図３は、図１の締結具が適用される天板が示された平面図である。
【図４】図４は、図１の締結具が用いられた二重床の一部が示された正面図である。
【図５】図５は、図４の二重床の施工の様子が示された説明図である。
【図６】図６は、図４の二重床の施工の様子が示された説明図である。
【図７】図７は、図４の二重床の施工の様子が示された説明図である。
【図８】図８は、図４の二重床の施工の様子が示された説明図である。
【図９】図９（ａ）は従来の締結具が示された部分断面図であり、図９（ｂ）はその側面図である。
【図１０】図１０は、図９の締結具が適用される支持脚の天板が示された平面図である。
【図１１】図１１は、図９の締結具が用いられた二重床の一部が示された部分断面図である。
【符号の説明】
【００３５】
３２・・・締結具
３４・・・ボルト
３６・・・フランジ
３８・・・上筒
４０・・・下筒
４２・・・コイルスプリング
４４・・・ガイド
４６・・・ロックナット
４８・・・ヘッド
５２・・・ストッパー
６０・・・環状底
７０・・・切り欠き部
７２・・・天板
７４・・・パネル
７６・・・開口
７８・・・孔
８０・・・張出部
８２・・・二重床
８４・・・支持脚
【図１】
2008106504.tif 000003
【図２】
2008106504.tif 000004
【図３】
2008106504.tif 000005
【図４】
2008106504.tif 000006
【図５】
2008106504.tif 000007
【図６】
2008106504.tif 000008
【図７】
2008106504.tif 000009
【図８】
2008106504.tif 000010
【図９】
2008106504.tif 000011
【図１０】
2008106504.tif 000012
【図１１】
2008106504.tif 000013